(57)【特許請求の範囲】
【請求項１】
媒体を搬送する媒体搬送経路に設けられたセンサーと、
媒体を下流側へ案内する媒体案内部材に設けられた、前記センサーを露呈させる開口部と、
媒体搬送方向と交差する方向である媒体幅方向において前記開口部を挟んで離間して配置され、媒体の先端を前記開口部から離れる方向に案内する一対のリブと、を備え、
前記センサーは、前記媒体幅方向において前記一対のリブの中間位置からずれた位置にあり、
前記リブの、前記媒体搬送方向の上流側の部分が、媒体を前記媒体案内部材から離れる方向に案内する傾斜面で形成されており、
前記傾斜面は、前記媒体搬送方向における前記開口部の上流側の縁よりも上流側の位置から、前記開口部の形成範囲内まで延びている、
ことを特徴とする媒体搬送装置。
【請求項２】
請求項１に記載の媒体搬送装置において、前記リブの、前記媒体搬送方向の下流側の端部が、前記開口部の形成範囲内にあり、
前記媒体搬送方向における前記開口部の下流側の縁には、媒体の先端を前記開口部から離れる方向に案内するガイド面が形成されている、
ことを特徴とする媒体搬送装置。
【請求項３】
請求項１または請求項２に記載の媒体搬送装置において、前記一対のリブは、前記媒体幅方向において前記媒体案内部材の中心位置に対し対称となる位置に設けられている、
ことを特徴とする媒体搬送装置。
【請求項４】
請求項１から請求項３のいずれか一項に記載の媒体搬送装置において、媒体搬送経路において前記開口部より上流側に、媒体を下流側に送る送りローラーと、前記送りローラーとの間で媒体をニップして分離する分離ローラーとを備え、
前記送りローラーと前記分離ローラーとによる媒体の送り出し方向は、媒体を前記開口部に押し付ける方向である、
ことを特徴とする媒体搬送装置。
【請求項５】
請求項４に記載の媒体搬送装置において、前記送りローラー及び前記分離ローラーは、媒体搬送方向と交差する方向である媒体幅方向において間隔を空けて設けられ、
前記間隔を空けて設けられた前記送りローラー及び前記分離ローラーのいずれかのローラー間に向けて媒体を押し付ける押し付け部材と、
前記送りローラーと前記分離ローラーとの接触位置より上流側に設けられ、前記押し付け部材とによって媒体搬送経路を狭める経路形成部と、
を備えることを特徴とする媒体搬送装置。
【請求項６】
請求項１から請求項５のいずれか一項に記載の媒体搬送装置において、
前記センサーは、媒体の重送を検知するセンサーであることを特徴とする媒体搬送装置。
【請求項７】
媒体を読み取る読み取り手段と、
前記読み取り手段の側へ媒体を搬送する、請求項１から請求項６のいずれか一項に記載の媒体搬送装置と、
を備えた画像読取装置。
【請求項８】
媒体に記録を行う記録手段と、
前記記録手段の側へ媒体を搬送する、請求項１から請求項６のいずれか一項に記載の媒体搬送装置と、
を備えた記録装置。
【発明の詳細な説明】
【技術分野】
【０００１】
本発明は、媒体を搬送する媒体搬送装置、並びにこれを備えた画像読取装置および記録装置に関する。
【背景技術】
【０００２】
以下、画像読取装置の一例であるスキャナーを例に説明する。スキャナーには、媒体の一例である原稿を自動送りする給送装置（ＡＤＦ（Auto Document Feeder）とも呼ばれる）が設けられ、複数枚の原稿の自動送りと読み込みとを行える様に構成される場合がある。
【０００３】
その様な給送装置の構成としては、特許文献１に示される様に、原稿を載置するトレイ（特許文献１では「原稿台１３」）と、当該トレイにセットされた原稿の面に接触して回転することにより、前記原稿を送り出す給送ローラー（特許文献１では「給紙ローラー１２１ａ、１２１ｂ」）と、当該給送ローラーに接して原稿を分離する分離ローラー（特許文献１では「リタードローラ１２２ａ、１２２ｂ」）と、を備えたものがある。
【０００４】
また、特許文献１記載の原稿搬送装置では、超音波センサー（特許文献１において超音波送信機１２５ａ、超音波受信機１２５ｂ）が設けられ、この超音波センサーの送受信器が原稿搬送路を挟んで配置され、原稿の重送を検知する為に利用されている。  
この超音波センサーは、給送ローラー及び分離ローラーより下流であって、原稿を読み取る読み取り部（特許文献１において第１撮像部１２９ａ、第２撮像部１２９ｂ）の上流近傍にある搬送ローラー対（特許文献１において第１搬送ローラー１２６ａ、第１従動ローラー１２７ａ）の上流近傍に設けられている。
【先行技術文献】
【特許文献】
【０００５】
【特許文献１】特許４８２０３１４号公報
【発明の概要】
【発明が解決しようとする課題】
【０００６】
原稿搬送路には、超音波センサーを露出させる為の開口が形成される。しかし、この様な開口を形成すると、搬送される原稿の先端が開口の縁に引っ掛かり、ジャムを誘発する虞がある。
【０００７】
この様なジャムを抑制する為には、開口の周囲に、原稿先端を開口の縁から遠ざける様な案内形状を設けることが考えられる。しかしながらこの様な案内形状は原稿を湾曲させる為、剛性が高い原稿を搬送する際に大きな搬送負荷を生じさせ、ノンフィードを招く虞がある。特に、スキャナーでは硬質のプラスチックカードなどを読み取る場合もあり、このような特に剛性が高い原稿を搬送する際には、上記のような案内形状は大きな搬送負荷を生じさせる。
【０００８】
即ち従来のスキャナーにおいては、剛性が低く可撓性に富む原稿、特に例えばノンカーボン複写用紙を構成する極めて薄い用紙などの搬送と、剛性が高く撓み難い原稿、例えば上述のような硬質のプラスチックカードなどの搬送と、の両立は必ずしも考慮されていなかった。
【０００９】
そこで本発明はこの様な問題に鑑み成されたものであり、その目的は、種々の剛性の媒体をより適切に搬送できる媒体搬送装置を提供することにある。
【課題を解決するための手段】
【００１０】
上記課題を解決する為の、本発明の第１の態様に係る媒体搬送装置は、媒体を搬送する媒体搬送経路に設けられたセンサーと、媒体を下流側へ案内する媒体案内部材に設けられた、前記センサーを露呈させる開口部と、媒体搬送方向と交差する方向である媒体幅方向において前記開口部を挟んで離間して配置され、媒体の先端を前記開口部から離れる方向に案内する一対のリブとを備えたことを特徴とする。
【００１１】
本態様によれば、媒体を下流側へ案内する媒体案内部材にはセンサーを露呈させる開口部が形成されており、そして媒体幅方向において前記開口部を挟んで離間して配置され、媒体の先端を前記開口部から離れる方向に案内する一対のリブを備えているので、媒体先端の前記開口部の縁への引っ掛かりを回避でき或いは抑制できる。そして前記リブは前記開口部を挟んで離間して配置されているので、媒体の一部（媒体幅方向における一部）が前記一対のリブの間に撓んで入り込むことができ、即ち前記媒体の一部は媒体搬送経路を側視してより自然な姿勢（湾曲の程度が少ない姿勢）で通過することができ、前記リブが媒体に与える搬送負荷を抑制できる。これにより、低剛性の媒体の搬送と、高剛性の媒体の搬送と、の両立を図ることができる。
【００１２】
本発明の第２の態様は、第１の態様において、前記一対のリブは、前記媒体幅方向において中心位置に対し対称となる位置に設けられていることを特徴とする。  
本態様によれば、前記一対のリブは、前記媒体幅方向において中心位置に対し対称となる位置に設けられているので、媒体の斜行を抑制できる。
【００１３】
本発明の第３の態様は、第１のまたは第２の態様において、媒体搬送経路において前記開口部より上流側に、媒体を下流側に送る送りローラーと、前記送りローラーとの間で媒体をニップして分離する分離ローラーとを備え、前記送りローラーと前記分離ローラーとによる媒体の送り出し方向は、媒体を前記開口部に押し付ける方向であることを特徴とする。
【００１４】
本態様によれば、媒体搬送経路において前記開口部より上流側に、媒体を下流側に送る送りローラーと、前記送りローラーとの間で媒体をニップして分離する分離ローラーとを備え、前記送りローラーと前記分離ローラーとによる媒体の送り出し方向は、媒体を前記開口部に押し付ける方向であるので、媒体先端が前記開口部の縁に引っ掛かり易いが、上述した第１の態様の構成によって、媒体先端の前記開口部の縁への引っ掛かりを抑制できる。
【００１５】
本発明の第４の態様は、第３の態様において、前記送りローラー及び前記分離ローラーは、媒体搬送方向と交差する方向である媒体幅方向において間隔を空けて設けられ、前記間隔を空けて設けられた前記送りローラー及び前記分離ローラーのいずれかのローラー間に向けて媒体を押し付ける押し付け部材と、前記送りローラーと前記分離ローラーとの接触位置より上流側に設けられ、前記押し付け部材とによって媒体搬送経路を狭める経路形成部とを備えることを特徴とする。
【００１６】
本態様によれば、前記押し付け部材によって媒体にコックリング状を形成することができる為、媒体搬送時の媒体の剛性を高めることができ、媒体のジャムを抑制できる。そして前記押し付け部材との間で媒体搬送経路を狭める経路形成部を備えているので、媒体先端が媒体搬送経路でカールし難く、媒体先端のカールに起因するジャムを抑制できる。
【００１７】
本発明の第５の態様は、第１から第４の態様のいずれかにおいて、前記センサーは、媒体の重送を検知するセンサーであることを特徴とする。  
本態様によれば、前記センサーが媒体の重送を検知するセンサーである構成において、上述した第１から第４の態様のいずれかの作用効果を得ることができる。
【００１８】
本発明の第６の態様に係る画像読取装置は、媒体を読み取る読み取り手段と、前記読み取り手段の側へ媒体を給送する、第１から第５の態様のいずれかに係る媒体搬送装置と、を備えたことを特徴とする。
【００１９】
本発明の第７の態様に係る記録装置は、媒体に記録を行う記録手段と、前記記録手段の側へ媒体を給送する、第１から第５の態様のいずれかに係る媒体搬送装置と、を備えたことを特徴とする。
【００２０】
上記第６の態様によれば、画像読取装置において、また上記第７の態様によれば、記録装置において、それぞれ上述した第１から第５の態様のいずれかと同様な作用効果を得ることができる。
【図面の簡単な説明】
【００２１】
【図１】本発明に係る画像読取装置における媒体の非給送状態の斜視図。
【図２】本発明に係る画像読取装置における媒体の給送状態の斜視図。
【図３】本発明に係る画像読取装置における媒体給送経路を示す側面図。
【図４】画像読取装置において上部ユニットを下部ユニットに対して回動させた状態を示す斜視図。
【図５】給送ローラー周辺を示す斜視図。
【図６】媒体給送経路における押し付け部材と経路形成部の関係を示す側断面図。
【図７】媒体給送経路におけるリブを示す側断面図。
【図８】図６におけるＡ−Ａ線断面図。
【図９】図７におけるＢ−Ｂ線断面図。
【図１０】剛性の高い用紙を搬送する際の用紙の搬送軌跡を示す側断面図。
【発明を実施するための形態】
【００２２】
以下、本発明の実施の形態を図面に基づいて説明する。尚、各実施例において同一の構成については、同一の符号を付し、最初の実施例においてのみ説明し、以後の実施例においてはその構成の説明を省略する。
【００２３】
図１は本発明に係る画像読取装置における媒体の非給送状態の斜視図であり、図２は本発明に係る画像読取装置における媒体の給送状態の斜視図であり、図３は本発明に係る画像読取装置における媒体給送経路を示す側面図であり、図４は画像読取装置において上部ユニットを下部ユニットに対して回動させた状態を示す斜視図であり、図５は給送ローラー周辺を示す斜視図である。
【００２４】
また、図６は媒体給送経路における押し付け部材と経路形成部の関係を示す側断面図であり、図７は媒体給送経路におけるリブを示す側断面図であり、図８は図６におけるＡ−Ａ線断面図であり、図９は図７におけるＢ−Ｂ線断面図であり、図１０は剛性の高い用紙を搬送する際の用紙の搬送軌跡を示す側断面図である。
【００２５】
また、各図において示すＸ−Ｙ−Ｚ座標系はＸ方向が装置幅方向であるとともに用紙幅方向、Ｙ方向が画像読取装置における用紙搬送方向、Ｚ方向がＹ方向と直交する方向であり、概ね搬送される用紙の面と直交する方向を示している。尚、各図において−Ｙ方向側を装置前面側とし、＋Ｙ方向側を装置背面側とする。
【００２６】
■■■実施例■■■■
＜＜＜画像読取装置について＞＞＞
図１及び図２を参照するに、「画像読取装置」としてのスキャナー１０は、下部ユニット１２と、上部ユニット１４と、カバー部１６と、排紙トレイ１８と、後述する用紙搬送装置５８（図３参照）とを備えている。本実施例において、上部ユニット１４は下部ユニット１２に対して用紙搬送方向下流側を回動支点として回動可能に下部ユニット１２に取り付けられている（図４参照）。
【００２７】
また、下部ユニット１２の背面側の上部には、カバー部１６が下部ユニット１２に対して回動可能に取り付けられている。カバー部１６は、図１に示すように上部ユニット１４の上部及び給送口２０（図２参照）を覆う非給送状態と、図１の非給送状態から図２に示すように装置背面側に回動し、給送口２０を開放する給送可能状態とを取り得る。そして、カバー部１６は、図２に示すように給送可能状態となると、カバー部１６の裏面は、「媒体」としての用紙Ｐの用紙載置面１６ａとして機能する。
【００２８】
また、下部ユニット１２の装置前面側には用紙Ｐを排出する排出口２４が設けられている。また、下部ユニット１２は、排出口２４から装置前面側に向けて引き出し可能な排紙トレイ１８を備えている。排紙トレイ１８は、下部ユニット１２の底部に収納された状態（図１参照）と、装置前面側に引き出された状態（図２参照）とを取り得る。また、本実施形態において排紙トレイ１８は複数のトレイ部材を連結して構成されており、排出される用紙Ｐの長さに応じて、排出口２４からの引き出し長さを調整可能である。
【００２９】
＜スキャナーにおける用紙搬送経路について＞
次に、主として図３を参照して、スキャナー１０における「媒体搬送経路」としての用紙搬送経路２６について説明する。また、図３では下部ユニット１２及び上部ユニット１４は、その筐体の外郭のみを仮想線で示している。尚、図３において符号Ｐが付された太い実線は、スキャナー１０内において用紙搬送経路２６に沿って搬送される用紙の案内経路を示している。
【００３０】
本実施例において、給送口２０にセットされる用紙Ｐは、下部ユニット１２に対して装置背面側に回動した姿勢を取るカバー部１６の裏面、すなわち用紙載置面１６ａにより支持されて載置される。給送口２０には、複数枚の用紙Ｐをセットすることができる。
【００３１】
用紙載置面１６ａに載置された用紙Ｐは、最も下に載置された用紙Ｐが、不図示の駆動源であるモーターにより回転駆動される「送りローラー」としての給送ローラー２８により給送方向下流側に給送される。給送ローラー２８の外周面は、高摩擦材料（例えば、ゴムなどのエラストマ等）により構成されている。
【００３２】
尚、図３において符号Ｇは、用紙載置面１６ａに載置（セット）された用紙Ｐの束を示している。用紙束Ｇは、給送開始前ではその先端が不図示のストッパーにより給送待機位置（図３の位置）に保持され、給送ローラー２８と後述する分離ローラー３０との間への入り込みが規制されている。
【００３３】
また、給送ローラー２８と対向する位置には分離ローラー３０が設けられている。分離ローラー３０は、不図示の付勢手段によって給送ローラー２８に対して付勢された状態に設けられている。本実施例において分離ローラー３０の外周面は、給送ローラー２８と同様に高摩擦材料（例えば、ゴムなどのエラストマ等）により構成されている。
【００３４】
さらに、本実施例において分離ローラー３０には、トルクリミッタ３２が設けられている。分離ローラー３０は、トルクリミッタ３２を介して、不図示のトルク付与手段或いはモーター等の駆動源から原稿を下流側に送る回転方向（図３において時計回り方向）とは反対方向（図３において反時計回り方向）の駆動トルクを受ける様に構成されている。
【００３５】
すなわち、分離ローラー３０は、給送ローラー２８と直接接触している状態では、給送ローラー２８から受ける回転トルクがトルクリミッタ３２のリミットトルクを超える為、給送ローラー２８に従動して回転する（図３において時計回り方向）。
【００３６】
そして用紙Ｐの給送が開始され、給送ローラー２８と分離ローラー３０との間に複数枚の用紙Ｐが入り込むと、分離ローラー３０は給送ローラー２８から回転トルクを受けなくなり、給送ローラー２８に従動した回転が止まる。これにより給送されるべき最下位の用紙Ｐを除く上位の用紙Ｐ（重送を防止すべき用紙Ｐ）は、下流側へ進む為の搬送力を受けられず、その先端が分離ローラー３０に当接した状態のまま下流側に進むことができない。これにより、用紙Ｐの重送が防止される。尚、給送されるべき最下位の用紙Ｐは、給送ローラー２８と直接接触している為、給送ローラー２８から受ける搬送力によって下流側に進む。
【００３７】
尚、本実施例において、給送ローラー２８は、図４及び図５に示すように装置幅方向（Ｘ方向）において間隔をおいて複数設けられている。具体的には、下部ユニット１２において装置幅方向に間隔をおいて２つの給送ローラー２８が設けられている。また、分離ローラー３０も、各給送ローラー２８に対応して装置幅方向に間隔をおいて２つ設けられている。
【００３８】
続いて、給送ローラー２８及び分離ローラー３０の下流側には、用紙Ｐの重送を検出する「センサー」としての重送検出センサー３４が配置されている。本実施例において重送検出センサー３４は、スピーカー部とマイク部を備える超音波センサーとして構成されている。また、重送検出センサー３４は、スピーカー部から用紙搬送経路２６を通る用紙Ｐに向けて超音波を発振し、用紙Ｐからの反射音をマイク部で検出するように構成されている。本実施例において重送検出センサー３４は、反射音の周波数により用紙Ｐの重送を検知するだけでなく、厚紙等の紙種も検出可能に構成されている。
【００３９】
また、用紙搬送経路２６において重送検出センサー３４の下流側には、搬送ローラー対３６が設けられている。搬送ローラー対３６は搬送駆動ローラー３６ａと、搬送駆動ローラー３６ａに対して従動回転する搬送従動ローラー３６ｂを備えている。本実施例において、搬送駆動ローラー３６ａは、不図示の駆動源により回転駆動させられる。
【００４０】
搬送ローラー対３６の下流側には、「読み取り手段」としての画像読取部３８が設けられている。ここで、画像読取部３８は、用紙搬送経路２６に沿って搬送される用紙Ｐの上面と対向するように上部ユニット１４に設けられた上部読み取りユニット４０と、用紙搬送経路２６に沿って搬送される用紙Ｐの下面と対向するように下部ユニット１２に設けられた下部読み取りユニット４２とを備えている。本実施例において、上部読み取りユニット４０及び下部読み取りユニット４２は読み取りユニットとして構成され、一例として密着型イメージセンサーモジュール（ＣＩＳＭ）として構成されている。
【００４１】
用紙Ｐは、画像読取部３８において用紙Ｐの表面及び裏面の少なくとも一方の面の画像を読み取られた後、画像読取部３８の搬送方向下流側に位置する排出ローラー対４４にニップされて排出口２４から排出される。
【００４２】
また、本実施例において排出ローラー対４４は排出駆動ローラー４４ａと、排出駆動ローラー４４ａに対して従動回転する排出従動ローラー４４ｂを備えている。本実施例において、排出駆動ローラー４４ａは、不図示の駆動源により回転駆動させられる。尚、搬送駆動ローラー３６ａと排出駆動ローラー４４ａとは、共通の駆動源により回転駆動させられてもよく、別々の駆動源により別個に回転駆動させられてもよい。
【００４３】
また、本実施例において下部ユニット１２内には制御部４６が設けられている。本実施例において制御部４６は、複数の電子部品を備える電気回路として構成されている。制御部４６は、上部読み取りユニット４０、下部読み取りユニット４２及び給送ローラー２８、搬送駆動ローラー３６ａ及び排出駆動ローラー４４ａを回転駆動させる駆動源を制御している。さらに、制御部４６は、重送検出センサー３４における検出信号を受信し、スキャナー１０における用紙Ｐの搬送を制御する。
【００４４】
また、本実施例において制御部４６は、スキャナー１０における用紙Ｐの搬送及び画像読取動作を制御するように構成されている。また、制御部４６は外部（ＰＣなど）からの指示でスキャナー１０における原稿読取動作の実行に必要な動作を制御してもよい。
【００４５】
＜＜＜経路形成部及びリブについて＞＞＞
次いで、図４ないし図７を参照して、経路形成部４８と一対のリブ５０について説明する。図４及び図５を参照するに、下部ユニット１２の上部には用紙案内部材５２が取り付けられている。用紙案内部材５２の上面５２ａは、上部ユニット１４が下部ユニット１２に対して閉じられた状態において用紙搬送経路２６の一部を構成する。
【００４６】
尚、本実施例において、用紙案内部材５２は、「媒体搬送装置」としての用紙搬送装置５８の一部を構成している。そして、用紙搬送装置５８は、本実施例において給送ローラー２８と、分離ローラー３０と、後述する押し付け部材５４と、経路形成部４８と、用紙案内部材５２に設けられた開口部５２ｂ、５２ｃ及び一対のリブ５０と、重送検出センサー３４とを備えて構成されている。
【００４７】
そして、用紙案内部材５２には、図５に示すように給送ローラー２８の一部を受け入れる開口部５２ｂが装置幅方向（図５におけるＸ軸方向）に間隔をおいて複数設けられている。本実施例では、開口部５２ｂは２箇所設けられている。そして、図５に示すように、用紙案内部材５２は下部ユニット１２に取り付けられた状態で、開口部５２ｂに給送ローラー２８を受け入れている。より具体的には、給送ローラー２８の少なくとも一部は、開口部５２ｂから用紙搬送経路２６に向けて突出している。
【００４８】
また、用紙案内部材５２は、装置幅方向において２つの開口部５２ｂの間に形成された経路形成部４８（図５参照）を備えている。本実施例において、経路形成部４８は、図６に示すように、用紙搬送経路２６において給送ローラー２８と分離ローラー３０との接触位置Ｔ１よりも搬送方向上流側に設けられている。また、本実施例において経路形成部４８は、用紙搬送経路２６に沿って延びるリブとして形成されている。
【００４９】
また、用紙案内部材５２において開口部５２ｂ、すなわち給送ローラー２８に対して搬送方向下流側には開口部５２ｃが設けられている。本実施例において開口部５２ｃは、装置幅方向において用紙案内部材５２の中心位置よりも右方（図５における−Ｘ軸方向）にずれた位置に設けられている。開口部５２ｃ内には重送検出センサー３４が配置されている。そして、開口部５２ｃは、重送検出センサー３４を露呈させている。
【００５０】
さらに用紙案内部材５２において、用紙Ｐの搬送方向（Ｙ軸方向）において開口部５２ｃが設けられた位置に一対のリブ５０が設けられている。具体的には、一対のリブ５０は図５に示すように用紙案内部材５２において装置幅方向に間隔をおいて設けられ、用紙案内部材５２の中心位置Ｃ（図５において符号Ｃが付された一点鎖線参照）に対して対称となるように配置されている。すなわち、一対のリブ５０は中心位置Ｃに対して対称であるので、用紙Ｐが搬送された際、用紙Ｐの斜行を抑制できる。
【００５１】
そして、用紙案内部材５２において装置幅方向右方側（図５における−Ｘ軸方向側）に設けられたリブ５０は、開口部５２ｃに対応する位置、すなわち、リブ５０から用紙案内部材５２の中心位置Ｃまでの距離に対してリブ５０から開口部５２ｃまでの距離が小さくなる位置に設けられている。さらに、開口部５２ｃ側に設けられたリブ５０は、装置幅方向において用紙案内部材５２の中心に対して開口部５２ｃの外側に配置されている。
【００５２】
＜＜＜押し付け部材について＞＞＞
次いで図６及び図８を参照して押し付け部材５４について説明する。押し付け部材５４は用紙搬送経路２６において分離ローラー３０に対応する位置に設けられている。より具体的には、装置幅方向において一対の分離ローラー３０の間に配置されている。そして、押し付け部材５４は、揺動軸５６を揺動中心として揺動可能に構成されている。具体的には、押し付け部材５４は、揺動軸５６を揺動中心として図６における時計回り方向に揺動すると、用紙搬送経路２６に突出し、図６における反時計回り方向に揺動すると、用紙搬送経路２６から退避する。
【００５３】
押し付け部材５４が用紙搬送経路２６に突出した状態で、用紙Ｐが搬送されると、押し付け部材５４と用紙Ｐの先端とが接触する。そして、図８に示すように押し付け部材５４は用紙Ｐを一通の給送ローラー２８間に押し付ける。より具体的には、押し付け部材５４は、用紙Ｐにおいて押し付け部材５４と接触する部分、すなわち、装置幅方向において一対の給送ローラー２８の間の部分を下方側に湾曲させる。これにより、用紙搬送経路２６において用紙Ｐが押し付け部材５４と接触すると、用紙Ｐにコックリング状が形成される。尚、図８において経路形成部４８の図示は省略している。
【００５４】
＜＜＜用紙案内部材における用紙Ｐの搬送について＞＞＞
次いで、図６ないし図１０を参照して、用紙搬送経路２６における用紙案内部材５２上における用紙Ｐの搬送について説明する。図６に示すように用紙載置面１６ａに載置された用紙Ｐが用紙載置面１６ａから搬送されると、用紙案内部材５２に沿って搬送方向下流側に案内される。そして、用紙Ｐは経路形成部４８と接触して持ち上げられつつ、給送ローラー２８と接触する。
【００５５】
そして、用紙Ｐは、給送ローラー２８と分離ローラー３０との接触位置Ｔ１に向けて搬送される。この際、用紙Ｐは、押し付け部材５４により分離ローラー３０側から給送ローラー２８側へ押し付けられ、コックリング状が形成される。そして、用紙Ｐは、コックリング状が形成された状態で搬送方向下流側に搬送される。
【００５６】
ここで、用紙搬送経路２６における概ね搬送される用紙Ｐの面と直交する方向（Ｚ軸方向）において、経路形成部４８は用紙Ｐを上方側に持ち上げ、押し付け部材５４は用紙Ｐを下方側に押し付けていることから、経路形成部４８と押し付け部材５４とは、用紙Ｐの面と直交する方向における用紙搬送経路２６を狭めている。これにより用紙Ｐの先端が用紙搬送経路２６内でカールし難くなる。その結果、用紙先端のカールに起因する用紙搬送経路２６内でのジャム（紙詰まり）を抑制できる。
【００５７】
次いで図７を参照するに、用紙Ｐは、給送ローラー２８と分離ローラー３０とにニップされて給送方向下流側に搬送される。この際、給送ローラー２８と分離ローラー３０とにニップされた用紙Ｐの送り出し方向は、用紙Ｐを用紙案内部材５２側、すなわち、重送検出センサー３４が配置された開口部５２ｃに押し付ける方向となっている。
【００５８】
ここで、剛性の低い用紙Ｐを用紙Ｐ１とすると、用紙Ｐ１を搬送する際、一対のリブ５０が用紙案内部材５２に設けられていないと、剛性の低い用紙Ｐ１は用紙案内部材５２の上面５２ａに沿って搬送され、剛性の低い用紙Ｐ１の先端が、開口部５２ｃの縁に引っ掛かり、それを起因として用紙搬送経路２６内においてジャム（紙詰まり）を起こす虞がある。
【００５９】
しかしながら、図７及び図９に示すように用紙搬送経路２６において開口部５２ｃが設けられた位置には一対のリブ５０が設けられている。そして、用紙Ｐが用紙搬送経路２６に沿ってリブ５０の位置まで搬送されてくると、用紙Ｐの先端がリブ５０により開口部５２ｃから離れる方向に案内される。
【００６０】
すなわち、図９に示すように、装置幅方向において一対のリブ５０は開口部５２ｃの両側に設けられているので、剛性の低い用紙Ｐ１が搬送された際、用紙Ｐ１の先端を開口部５２ｃに対して持ち上げて、開口部５２ｃの縁に引っ掛かることを防止でき、あるいは抑制できる。尚、図９における符号Ｃが付された一点鎖線は、用紙案内部材５２の装置幅方向における中心位置を示している。
【００６１】
また、図９及び図１０を参照して、剛性の高い用紙Ｐ２を搬送する場合について説明する。剛性の高い用紙Ｐ２を用紙搬送経路２６に沿って搬送させる場合、用紙Ｐ２の湾曲が大きくなると搬送負荷が大きくなり、ジャム（紙詰まり）の発生要因となる。本実施例において、一対のリブ５０は、図９に示すように用紙案内部材５２の中心位置Ｃを挟んで装置幅方向に間隔をおいて設けられているので、用紙Ｐ２の装置幅方向における少なくとも一部、より具体的には用紙Ｐ２の装置幅方向中央部分が一対のリブ５０の間に撓んで入り込むことができる。
【００６２】
ここで、図１０を参照するに、用紙Ｐ２の装置幅方向中央部分における搬送軌跡を符号Ｐ２ｃが付された一点鎖線で示し、用紙Ｐ２のリブ５０と接触している部分における搬送軌跡を符号Ｐ２ｓが付された太い実線で示している。
【００６３】
本実施例において剛性の高い用紙Ｐ２の装置幅方向中央部分は搬送軌跡Ｐ２ｃに示すようにリブ５０よりも下方側を通るので、用紙Ｐ２においてリブ５０上を通る部分の搬送軌跡Ｐ２ｓに比べて湾曲が緩やかになっている。すなわち、剛性の高い用紙Ｐ２において用紙搬送経路２６に沿って搬送される際、用紙Ｐ２の装置幅方向中央部分は湾曲の程度が少ない姿勢、つまり自然な姿勢で搬送される。これにより、一対のリブ５０が剛性の高い用紙Ｐ２に与える搬送負荷を抑制できる。
【００６４】
上記説明をまとめると、用紙案内部材５２において一対のリブ５０を設けたことにより、剛性の低い用紙Ｐ１の搬送と、剛性の高い用紙Ｐ２の搬送との両立を図ることができる。
【００６５】
＜＜＜実施例の変更例＞＞＞
（１）本実施例において、押し付け部材５４は、用紙Ｐを給送ローラー２８間に向けて押し付ける構成としたが、この構成に代えて、用紙Ｐを分離ローラー３０間に向けて押し付ける構成としてもよい。
（２）本実施例では、用紙搬送装置５８を画像読取装置としてのスキャナー１０に適用する構成としたが、この構成に代えて、インクを用紙に向けて吐出する「記録手段」としての記録ヘッドを備える記録装置、例えばインクジェットプリンター等に適用してもよい。
（３）本実施例において、給送ローラー２８を２つ設ける構成としたが、この構成に代えて、給送ローラー２８を１つ設ける構成としてもよく、あるいは３つ以上設ける構成としてもよい。そして、分離ローラー３０も、給送ローラー２８の数に対応して１つ、あるいは３つ以上設けてもよい。
（４）本実施例においてリブ５０を一対設ける構成としたが、この構成に代えて、リブ５０を中心位置Ｃに対して対称に複数の対設ける構成としてもよい。
（５）本実施例において経路形成部４８を給送ローラー２８間に設ける構成としたが、この構成に加えて、さらに経路形成部４８を中心位置Ｃに対して対称に給送ローラー２８の外側に設ける構成としてもよい。
【００６６】
上記説明をまとめると、用紙搬送装置５８は、用紙Ｐを搬送する用紙搬送経路２６に設けられた重送検出センサー３４と、用紙Ｐを下流側へ案内する用紙案内部材５２に設けられた、重送検出センサー３４を露呈させる開口部５２ｃと、用紙搬送方向と交差する方向である用紙幅方向すなわち装置幅方向において開口部５２ｃを挟んで離間して配置され、用紙Ｐの先端を開口部５２ｃから離れる方向に案内する一対のリブ５０とを備えている。
【００６７】
上記構成によれば、用紙Ｐを下流側へ案内する用紙案内部材５２には重送検出センサー３４を露呈させる開口部５２ｃが形成されており、そして用紙幅方向、すなわち装置幅方向において開口部５２ｃを挟んで離間して配置され、用紙の先端を開口部５２ｃから離れる方向に案内する一対のリブ５０を備えているので、用紙Ｐの先端の開口部５２ｃの縁への引っ掛かりを回避でき或いは抑制できる。そしてリブ５０は開口部５２ｃを挟んで離間して配置されているので、用紙Ｐの一部（用紙幅方向すなわち装置幅方向における一部）が一対のリブ５０の間に撓んで入り込むことができ、即ち用紙Ｐの一部は用紙搬送経路２６を側視してより自然な姿勢（湾曲の程度が少ない姿勢）で通過することができ、リブ５０が用紙Ｐに与える搬送負荷を抑制できる。これにより、低剛性の用紙Ｐ１の搬送と、高剛性の用紙Ｐ２の搬送と、の両立を図ることができる。
【００６８】
一対のリブ５０は、用紙幅方向すなわち装置幅方向において中心位置Ｃに対し対称となる位置に設けられている。この構成によれば、用紙Ｐの斜行を抑制できる。
【００６９】
用紙搬送装置５８は、用紙搬送経路２６において開口部５２ｃより上流側に、用紙Ｐを下流側に送る給送ローラー２８と、給送ローラー２８との間で用紙Ｐをニップして分離する分離ローラー３０とを備え、給送ローラー２８と分離ローラー３０とによる用紙Ｐの送り出し方向は、用紙Ｐを開口部５２ｃに押し付ける方向である。
【００７０】
上記構成によれば、用紙搬送経路２６において開口部５２ｃより上流側に、用紙Ｐを下流側に送る給送ローラー２８と、給送ローラー２８との間で用紙Ｐをニップして分離する分離ローラー３０とを備え、給送ローラー２８と分離ローラー３０とによる用紙Ｐの送り出し方向は、用紙Ｐを開口部５２ｃに押し付ける方向であるので、用紙Ｐの先端が開口部５２ｃの縁に引っ掛かり易いが、一対のリブ５０によって、用紙Ｐの先端の開口部５２ｃの縁への引っ掛かりを抑制できる。
【００７１】
給送ローラー２８及び分離ローラー３０は、用紙搬送方向と交差する方向である用紙幅方向すなわち装置幅方向において間隔を空けて設けられ、間隔を空けて設けられた給送ローラー２８及び分離ローラー３０のいずれかのローラー間に向けて用紙Ｐを押し付ける押し付け部材５４と、給送ローラー２８と分離ローラー３０との接触位置Ｔ１より上流側に設けられ、押し付け部材５４とによって用紙搬送経路２６を狭める経路形成部４８とを備えている。
【００７２】
上記構成によれば、押し付け部材５４によって用紙Ｐにコックリング状を形成することができる為、用紙Ｐの搬送時の用紙Ｐの剛性を高めることができ、用紙Ｐのジャムを抑制できる。そして押し付け部材５４との間で用紙搬送経路２６を狭める経路形成部４８を備えているので、用紙Ｐの先端が用紙搬送経路２６でカールし難く、用紙Ｐの先端のカールに起因するジャムを抑制できる。
【００７３】
スキャナー１０は、媒体を読み取る画像読取部３８と、画像読取部３８の側へ用紙Ｐを給送する、上述した用紙搬送装置５８とを備えている。
【００７４】
プリンターは、用紙Ｐに記録を行う記録ヘッドと、記録ヘッドの側へ用紙Ｐを給送する用紙搬送装置５８とを備えている。
【００７５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７６】
１０…スキャナー、１２…下部ユニット、１４…上部ユニット、１６…カバー部、１６ａ…用紙載置面、１８…排紙トレイ、２０…給送口、２４…排出口、２６…用紙搬送経路、２８…給送ローラー、３０…分離ローラー、３２…トルクリミッタ、３４…重送検出センサー、３６…搬送ローラー対、３６ａ…搬送駆動ローラー、３６ｂ…搬送従動ローラー、３８…画像読取部、４０…上部読み取りユニット、４２…下部読み取りユニット、４４…排出ローラー対、４４ａ…排出駆動ローラー、４４ｂ…排出従動ローラー、４６…制御部、４８…経路形成部、５０…リブ、５２…用紙案内部材、５２ａ…上面、５２ｂ、５２ｃ…開口部、５４…押し付け部材、５６…揺動軸、５８…用紙搬送装置、Ｃ…中心位置、Ｇ…用紙束、Ｐ、Ｐ１、Ｐ２…用紙、Ｐ２ｃ、Ｐ２ｓ…搬送軌跡、Ｔ１…接触位置
【図１】
0006761202.tif 000002
【図２】
0006761202.tif 000003
【図３】
0006761202.tif 000004
【図４】
0006761202.tif 000005
【図５】
0006761202.tif 000006
【図６】
0006761202.tif 000007
【図７】
0006761202.tif 000008
【図８】
0006761202.tif 000009
【図９】
0006761202.tif 000010
【図１０】
0006761202.tif 000011